(57)【特許請求の範囲】
【請求項１】
空間を構成する壁材に機能部品を取り付けるための機能部品の取付構造であって、
前記機能部品を支持する筐体と、
前記壁材に形成された壁開口部に前記筐体を固定するための固定部と、を備え、
前記壁材が、断熱材と、該断熱材を被覆しつつ該壁パネルの表面を成す鋼板と、から成る壁パネルであり、
前記固定部は、前記壁開口部の周辺部が切り欠かれて、前記壁材の表面又は裏面よりも該壁材の厚み方向の内部側に設けられていることを特徴とする機能部品の取付構造。
【請求項２】
前記固定部が、前記壁開口部の端面に連続されるとともに、前記厚み方向に交差する見付け面を有していることを特徴とする請求項１記載の機能部品の取付構造。
【請求項３】
前記固定部は、前記壁開口部の周辺部に沿って設けられる補強部材を有して構成されていることを特徴とする請求項１又は請求項２記載の機能部品の取付構造。
【請求項４】
前記壁パネルが、浴室壁面を構成するものであり、
請求項１乃至請求項３のうち何れか一項記載の機能部品の取付構造によって前記機能部品が前記壁パネルに取り付けられたことを特徴とする浴室ユニット。
【発明の詳細な説明】
【技術分野】
【０００１】
本発明は、壁材に形成された壁開口部に機能部品を取り付けるための機能部品の取付構造、及び、この機能部品の取付構造によって機能部品が壁パネルに取り付けられた浴室ユニットに関する。
【背景技術】
【０００２】
従来、浴室の壁にテレビ受像機等の機能部品を取り付けるための構造が提案されている（例えば、特許文献１参照）。特許文献１に記載されたテレビ受像器の取付構造は、浴室の立上り壁に埋設されるとともに、テレビ受像機を収容するケースと、このケースの浴室内側を覆う蓋体と、を備え、ケースには、テレビ受像器を収納する収納凹部と、立上り壁の浴室内面に当接するフランジ片と、が形成されている。このケースは、浴室内方側から立上り壁の開口部に挿入され、フランジ片が立上り壁の開口端縁に係止されることで、立上り壁に支持されるように構成されている。
【先行技術文献】
【特許文献】
【０００３】
【特許文献１】特許第２８５０３６７号公報
【発明の概要】
【発明が解決しようとする課題】
【０００４】
しかしながら、特許文献１に記載されたような従来の取付構造では、フランジ片が立上り壁の浴室内面に当接していたから、浴室内面から出張った状態で支持されていることになる。このため、この浴室内面から出張ったフランジ片に体の一部が当たる等して、空間の使用者に違和感を生じさせることがあった。そこで、浴室内面側への出張りをなくすために、フランジ片を浴室外面、即ち立上り壁の裏面に当接させて、該フランジ片を立上り壁の開口端縁に係止させることも考えられるが、そうすると、フランジ片が浴室外面から出張ることとなり、例えば、浴室ユニットにおいて、建築壁と浴室を構成する浴室壁との隙間が狭い場合には、テレビ受像機を浴室壁に取り付けることが困難だった。
【０００５】
本発明の目的は、筐体又は機能部品ユニットの壁材からの出っ張りを抑制することができる機能部品の取付構造、及び、浴室ユニットを提供することにある。
【課題を解決するための手段】
【０００６】
本発明の機能部品の取付構造は、空間を構成する壁材に機能部品を取り付けるための機能部品の取付構造であって、前記機能部品を支持する筐体と、前記壁材に形成された壁開口部に前記筐体を固定するための固定部と、を備え、前記壁材が、断熱材と、該断熱材を被覆しつつ該壁パネルの表面を成す鋼板と、から成る壁パネルであり、前記固定部は、前記壁開口部の周辺部が切り欠かれて、前記壁材の表面又は裏面よりも該壁材の厚み方向の内部側に設けられていることを特徴とする。
【０００７】
以上のような本発明によれば、機能部品を支持する筐体と、壁材に形成された壁開口部に筐体を固定するための固定部と、を備え、固定部は、壁開口部の周辺部が切り欠かれて、壁材の表面又は裏面よりも該壁材の厚み方向の内部側に設けられていることで、壁材の表面又は裏面から固定部までの壁材の厚み方向の寸法分だけ、筐体の壁材の表面又は裏面からの出張りを小さくすることができる。従って、筐体の壁材からの出っ張りを抑制することができる。
【０００８】
ここで、固定部が、壁材の表面よりも壁材の厚み方向の内部側に設けられた場合には、筐体の壁材の表面からの出張りを小さくすることができる。さらに、筐体の空間内部側の表面が、壁材の表面と略面一に設けられていることが好ましい。この場合には、壁開口部の周辺部から筐体の表面までがひと続きに並んでいるように見えて、壁材に統一感を持たせることができ、壁材の美観の維持を図ることができる。
【０００９】
また、固定部が、壁材の裏面よりも壁材の厚み方向の内部側に設けられた場合には、筐体の壁材の裏面からの出張りを小さくすることができるので、例えば、浴室ユニットにおいて、建築壁と浴室を構成する浴室壁との隙間が狭い場合においても、浴室壁に機能部品を取り付けることができる。
【００１０】
また、本発明の機能部品の取付構造では、前記固定部が、前記壁開口部の端面に連続されるとともに、前記厚み方向に交差する見付け面を有していることが好ましい。
【００１１】
このような構成によれば、固定部が、壁開口部の端面に連続されるとともに、厚み方向に交差する見付け面を有しているから、見付け面が、壁材の表面又は裏面よりも該壁材の厚み方向の内部側に設けられていることとなり、壁材の表面又は裏面から見付け面までの壁材の厚み方向の寸法分だけ、筐体の壁材の表面又は裏面からの出張りを小さくすることができる。この見付け面は、壁材の厚み方向に交差する面であるから、例えば、ボルト締結やネジ及びナットを用いて筐体を見付け面に固定する際の作業性を良好にすることができる。
【００１２】
また、本発明の機能部品の取付構造では、前記固定部は、前記壁開口部の周辺部に沿って設けられる補強部材を有して構成されていることが好ましい。
【００１３】
このような構成によれば、補強部材が設けられていることで、固定部の固定強度を確保することができる。
【００１４】
また、本発明の浴室ユニットは、前記壁パネルが、浴室壁面を構成するものであり、請
求項１乃至請求項４のうち何れか一項記載の機能部品の取付構造によって前記機能部品が
前記壁パネルに取り付けられたことを特徴とする。
【００１５】
このような本発明の浴室ユニットによれば、機能部品を支持する筐体と、壁パネルに形成された壁開口部に筐体を固定するための固定部と、を備え、固定部は、壁開口部の周辺部が切り欠かれて、壁材の表面又は裏面よりも該壁材の厚み方向の内部側に設けられていることで、壁材の表面又は裏面から固定部までの壁材の厚み方向の寸法分だけ、筐体の壁材の表面又は裏面からの出張りを小さくすることができる。従って、筐体の壁材からの出っ張りを抑制することができる。
【００１８】
ここで、例えば、浴室ユニットにおいて、建築壁と壁パネルとの隙間が狭く、機能部品ユニットを取り付けることが困難であったとしても、固定部が、壁パネルの裏面よりも壁パネルの厚み方向の内部側に設けられた場合には、機能部品ユニットの壁パネルの裏面からの出張りを小さくすることができるので、浴室壁に機能部品ユニットを取り付けることができる。
【発明の効果】
【００１９】
以上のような本発明の機能部品の取付構造、及び、浴室ユニットによれば、筐体又は機能部品ユニットと、壁材に形成された壁開口部に筐体又は機能部品ユニットを固定するための固定部と、を備え、固定部は、壁開口部の周辺部が切り欠かれて、壁材の表面又は裏面よりも該壁材の厚み方向の内部側に設けられていることで、壁材の表面又は裏面から固定部までの壁材の厚み方向の寸法分だけ、筐体又は機能部品ユニットの壁材の表面又は裏面からの出張りを小さくすることができる。従って、筐体又は機能部品ユニットの壁材からの出っ張りを抑制することができる。
【図面の簡単な説明】
【００２０】
【図１】本発明の実施形態に係る浴室の一部を示す斜視図である。
【図２】前記浴室の一部を分解して示す分解斜視図である。
【図３】前記浴室に設けられる機能部品の取付構造を示す分解斜視図である。
【図４】前記機能部品の取付構造を示す縦断面図である。
【図５】前記機能部品の取付構造を分解して示す断面図である。
【図６】（Ａ）（Ｂ）（Ｃ）は、前記機能部品の取付構造の変形例を示す縦断面図である。
【図７】（Ａ）（Ｂ）（Ｃ）は、前記機能部品の取付構造の変形例を示す縦断面図である。
【図８】（Ａ）（Ｂ）は、前記機能部品の取付構造の変形例を示す縦断面図である。
【発明を実施するための形態】
【００２１】
以下、本発明の実施形態を図面に基づいて説明する。本実施形態の浴室ユニット（浴室）１は、図１３に示すように、床躯体上に束等を介して支持された浴槽２及び洗い場床（防水パン）３と、浴槽２の端縁及び洗い場床３の端縁から立ち上がって設けられた立上部４と、立上部４から立設された複数の柱材としてのポスト５と、隣り合うポスト５間に亘って支持されて浴室内壁面を構成する複数の壁パネル６と、複数のポスト５の頂部を連結して設けられたつなぎ梁７と、つなぎ梁７に支持される図示しない天井パネルと、図示しない浴室出入口や窓等と、を備えて構成されている。また、洗い場の壁面には、鏡８が取り付けられ、その他に、図示しないカウンターや棚、照明器具、水栓金具、カラン、シャワー等が設けられる。
【００２２】
なお、以下では、壁パネル６の面直交方向を見込方向や厚み方向と記し、この見込方向と直交する面内方向を見付方向と記す場合があり、特に、ポスト５等の長尺部材においては、その材軸方向（長手方向）及び見込方向に直交する方向を見付方向として記すことがある。
【００２３】
ポスト５は、溶融亜鉛めっき鋼板などから曲げ加工及び切断加工によって製作され、断面コ字形や断面Ｃ字形に形成されている。このポスト５は、その下端部が浴槽２や洗い場床３の立上部４にブラケット等で固定され、上端部がつなぎ梁７によって隣り合うポスト５の上端部と連結されている。ポスト５は、浴室ユニット１の角部に設けられるコーナーポスト５Ａと、隣り合う壁パネル６が平面的に連続した位置に設けられる平ポスト５Ｂと、を有して構成されている。
【００２４】
壁パネル６は、例えば、鋼板パネルで構成されている。鋼板パネルは、浴室内部側に適宜な化粧面を有する鋼板６Ａ（図５参照）と、この鋼板６Ａの裏面に貼付される石膏ボードや発泡ウレタン等の断熱材６Ｂと、を有し、取付部位に応じた適宜な幅寸法及び高さ寸法に形成されている。鋼板パネルの鋼板６Ａには、鋼板パネルの鋼板６Ａには、その左右両側の端縁から見込方向裏面側に突出し、その先端から見付方向内側かつ浴室内部側に折り返された図示しない被係止部が形成されている。この鋼板パネルは、被係止部がポスト５の図示しない係止片に係止されることで、左右のポスト５間に亘って取り付けられている。
【００２５】
複数の壁パネル６のうち、浴槽２の一方側の短辺２Ａに対応する位置の壁パネル６１には、その外周縁から離隔した位置に壁開口部６３が形成されている。壁開口部６３は、壁パネル６１において、浴槽２の短辺２Ａ方向の中間部において、上下方向（鉛直方向）の中間部よりも下方側に設けられている。壁開口部６３は、矩形状に連続する内周辺（上辺６３Ａ、下辺６３Ｂ、左右の縦辺６３Ｃ、６３Ｄ）を有して構成されている。壁開口部６３の内周辺は、請求項中の「壁開口部の端面」のことである。この壁開口部６３の周辺部には、後述する筐体３０の延出片３４が固定されている。以下では、壁パネル６１において延出片３４が固定される位置を「固定部」と記し、符号６０（図４参照）を付す。
【００２６】
固定部６０は、壁開口部６３の周辺部が浴室内部側から切り欠かれて形成されるとともに、壁パネル６１の厚み方向（見込み方向と同じ方向）の内部に位置するように設けられている。固定部６０は、壁パネル６１の表裏の面と平行な見付け面１６１と、この見付け面１６１の壁開口部６３から離れた周縁から略垂直に立ち上がり、壁パネル６１の浴室内部側の表面に連続される見込み面１６２と、を有して構成されている。即ち、見付け面１６１は、壁パネル６１の厚み方向の内部側に設けられている。また、本実施形態の見付け面１６１は、壁パネル６１の表裏の面と平行になるように形成されているが、壁パネル６１の厚み方向に交差する面であればよい。なお、以下では、壁パネル６１の浴室内部側の表面を単に「表面」と記し、壁パネル６１の表面と反対側の面であるとともに浴室の外方側の面を単に「裏面」と記す場合がある。
【００２７】
また、見付け面１６１の形成位置は、壁パネル６１の厚み方向のうち、当該壁パネル６１の裏面よりも浴室内部側の表面に近い位置に設けられている。即ち、見付け面１６１から壁パネル６１の表面までの厚さ方向の寸法が、壁パネル６１の厚さ寸法の１／２以下となるように形成されている。
【００２８】
以上の浴室ユニット１には、図３にも示すように、機能部品としての映像表示部Ｔを浴室壁に取り付けるための機能部品の取付構造１０が設けられている。この取付構造１０は、前記壁開口部６３と、化粧フレーム２０と、映像表示部Ｔを収容しつつ壁開口部６３の浴室内部側から嵌め込まれて固定される筐体３０と、を備えて構成されている。映像表示部Ｔは、映像表示を行う電子機器であり、液晶表示部、有機ＥＬ表示部、ＬＥＤ表示部等の映像表示部を持つ機器であり、テレビ機器として、図示しない電源装置やテレビアンテナ、チューナー、録画装置、スピーカー等に有線あるいは無線によって接続されてもよい。
【００２９】
化粧フレーム２０は、筐体３０の浴室側に設けられる矩形枠状の被覆部材であって、上下左右の四周に設けられるアルミ形材製の化粧材２１と、これらの化粧材２１を四隅で接続する図示しない接続部材と、を有して構成されている。なお、化粧材２１は、アルミ形材製に限らず、他の金属製でもよいし、樹脂製やガラス製などでもよく、その材質は特に限定されない。この化粧フレーム２０は、係止部材２２によって筐体３０の前面側に取り付けられるようになっている。
【００３０】
筐体３０は、全体箱状に形成されるとともに映像表示部Ｔの前面側に開口３０Ａを有した筐体本体３１と、この筐体本体３１の内部側から開口３０Ａを覆う透光性を有したカバー部材としての透明板３２と、を有して構成されている。筐体本体３１は、壁開口部６３の内側に挿通可能となるように壁開口部６３と略同じ大きさ、又は、壁開口部６３よりも一回り小さい大きさとなるように形成されて、壁開口部６３に嵌め込まれるように形成されている。さらに、壁開口部６３の内周辺６３Ａ、６３Ｂ、６３Ｃ、６３Ｄと筐体本体３１の外周辺３３（上辺３３Ａ、下辺３３Ｂ、左右の縦辺３３Ｃ、３３Ｄ）との間にはシール部材４０が四周連続して介装されている。
【００３１】
また、筐体本体３１は、矩形状に連続する外周辺３３（上辺３３Ａ、下辺３３Ｂ、左右の縦辺３３Ｃ、３３Ｄ）を有するとともに、この四方の外周辺３３には、それぞれ見付方向外方に延出する延出片３４（上延出片３４Ａ、下延出片３４Ｂ、左右の延出片３４Ｃ、３４Ｄ）が形成されている。延出片３４は、壁パネル６１の浴室外方側の裏面に沿って延び、壁パネル６１のビス孔１６０及び延出片３４のビス孔３４１にビス３９が螺合されることで固定部６０の見付け面１６１に固定されるようになっている。延出片３４が、ビス３９によって固定部６０に固定されることにより、筐体３０が壁パネル６１に固定されるようになっている。
【００３２】
次に、図４、５も参照して、化粧フレーム２０の詳細構造及び取付構造について説明する。化粧フレーム２０の四周に設けられる化粧材２１は、各々同一断面を有して形成され、浴室内部側の見えがかり面となる見付け面部２１１と、見付け面部２１１の裏面から見込方向に突出した被係止面部２１２と、を有している。また、見付け面部２１１の見付方向内端縁には、裏面側に突出した第一突条２１３が設けられ、見付け面部２１１の見付方向外端縁には、第二突条２１４が設けられている。被係止面部２１２は、前述した固定部６０の見付け面１６１に向けて突出して形成されている。
【００３３】
係止部材２２は、金属製の板バネ材から曲げ加工により成形されるピース部材であって、筐体３０（図４参照）の上辺３３Ａ及び下辺３３Ｂにおける延出片３４にそれぞれ３箇所ずつ設けられ、筐体３０の左右の縦辺３３Ｃ，３３Ｄにおける延出片３４にそれぞれ２箇所ずつ設けられている。係止部材２２は、ビス３９によって延出片３４に固定される固定片部２２１と、固定片部２２１から浴室内部側に屈曲状に延びる係止片部２２２と、を有して形成されている。このような係止部材２２は、固定片部２２１を貫通するビス３９によって筐体３０の延出片３４に固定されるとともに、係止片部２２２によって化粧材２１の被係止面部２１２を係止することで、筐体３０に対して化粧フレーム２０を係脱自在に支持するように構成されている。
【００３４】
このように筐体３０の浴室内部側（前面側）に取り付けられた化粧フレーム２０において、第一突条２１３は、その先端が筐体３０の透明板３２に近接して設けられ、この第一突条２１３の先端と透明板３２との間は、シリコンシール２３（図４参照）によって止水処理が施されている。また、第二突条２１４は、その先端が固定部６０の見込み面１６２に当接又は近接して設けられている。このような第二突条２１４と、壁パネル６１との間には、必要に応じてシール材が設けられていてもよい。
【００３５】
次に、筐体３０の詳細構造及び取付構造について説明する。筐体本体３１（図４参照）は、開口３０Ａが形成されて映像表示部Ｔの前面側に設けられる前枠体３６と、映像表示部Ｔの裏面側に設けられて映像表示部Ｔが固定される後枠体３７と、を互いに連結して構成されている。前枠体３６及び後枠体３７は、それぞれステンレス鋼板等の金属板材にプレス加工等を施して形成されている。透明板３２は、板ガラスから形成され、その前面あるいは後面には反射防止コーティング等の適宜な表面処理が施されている。
【００３６】
前枠体３６は、全体矩形枠状に形成されるとともに、筐体３０の外周辺３３の前側部分を構成する前見込面部３６１と、この前見込面部３６１の前端縁から見付方向内側に延びて開口３０Ａの周辺部を構成する開口周辺部３６２と、前見込面部３６１の後端縁から見付方向外側に延びる前延出片３６３と、を有して形成されている。後枠体３７は、前方側が開口した全体箱状に形成されるとともに、筐体３０の外周辺３３の後側部分を構成する後見込面部３７１と、この後見込面部３７１の後端縁に連続した板状の背面部３７２と、後見込面部３７１の前端縁から見付方向外側に延びる後延出片３７３と、を有して形成されている。後枠体３７の背面部３７２には、映像表示部Ｔを固定するための複数の背面固定部３７４が設けられている。
【００３７】
筐体３０の延出片３４は、前延出片３６３と、後延出片３７３と、が前後方向に重ねられるとともに、周方向に複数設けられるビス３９によって固着されて構成されている。前延出片３６３及び後延出片３７３は、固定部６０に重ねて固定される上延出片３４Ａ、下延出片３４Ｂ、左右の延出片３４Ｃ、３４Ｄを有して構成されている。このように構成される延出片３４は、筐体３０の最前部である開口周辺部３６２から前見込面部３６１の前後寸法分（壁パネル６１の浴室内部側の表面から固定部６０の見付け面１６１が形成された位置までの寸法分）だけ後退するとともに、筐体３０の最後部である背面部３７２から後見込面部３７１の前後寸法分だけ前進した位置に設けられている。即ち、延出片３４は、筐体３０の外周辺３３において前方側に偏った位置から見付方向外方に突出して形成されている。こうして、筐体３０は、壁パネル６１の壁開口部６３に取り付けられた際に、その開口周辺部３６２と壁パネル６１の浴室内部側の表面とが略面一になるように形成されている。これにより、壁開口部６３の周辺部から筐体３０の表面（機能部品ユニット１１の表面）までがひと続きに並んでいるように見えて、浴室壁面としての壁パネル６に統一感を持たせることができ、壁パネル６の美観の維持を図ることができる。また、延出片３４（前延出片３６３及び後延出片３７３）には、ビス３９が貫通するとともに螺合するビス孔３４１（図５参照）が形成されている。また、透明板３２の前面と開口周辺部３６２との間には止水部材４３が四周連続して介装されている。
【００３８】
筐体３０の組立手順としては、先ず、背面固定部３７４によって後枠体３７に映像表示部Ｔを固定する。一方、前枠体３６において、前面外周に沿って止水部材４３を貼り付けた透明板３２を開口周辺部３６２にセットしておく。このような前延出片３６３と後延出片３７３とをビス３９によって固着することで、映像表示部Ｔ及び透明板３２を筐体本体３１に内蔵した筐体３０が組み立てられるとともに、映像表示部Ｔ及び透明板３２を内蔵した機能部品ユニット１１（図２参照）が組み立てられる。以上のように組み立てられた機能部品ユニット１１は、組み立て工場にて、壁パネル６１の壁開口部６３に取り付けられ、一つのユニットとして予め組み立てられた状態で浴室ユニット１の施工現場まで搬送されて、左右のポスト５Ａ、５Ｂに固定される。
【００３９】
次に、機能部品ユニット１１の壁開口部６３への取り付け手順について説明する。
【００４０】
まず、壁開口部６３に対して壁パネル６１の表面側から筐体３０をセットし、その延出片３４のビス孔３４１に壁パネル６１の表面側からビス３９を挿通し、この延出片３４を固定部６０の見付け面１６１に重ねて螺合することによって、固定部６０に筐体３０を固定する。この際、見付け面１６１の形成位置は、壁パネル６１の厚み方向のうち、当該壁パネル６１の裏面よりも浴室内部側の表面に近い位置に設けられていることで、壁開口部６３の内周辺（端面）の厚み方向の寸法が十分に確保されていることとなる。従って、壁開口部６３の内周辺に筐体本体３１を載置して見付け面１６１に延出片３４を重ねることができる。また、壁開口部６３の内周辺の厚み方向の寸法が十分に確保されていることで、筐体本体３１が壁開口部６３の内周辺に安定して載置されることとなり、壁パネル６１に機能部品ユニット１１を取り付ける際の作業性を良好にすることができる。
【００４１】
なお、壁開口部６３に対して筐体３０をセットする前に、筐体３０の延出片３４のビス孔３４１にビス３９を挿通する際には、このビス３９の頭部と延出片３４との間に係止部材２２を挟んでおく。そして、筐体３０を壁開口部６３に取り付けたら、筐体３０に取り付けられた係止部材２２の係止片部２２２に化粧材２１の被係止面部２１２を係止させることで、筐体３０に対して化粧フレーム２０を取り付け、化粧材２１の第一突条２１３と筐体３０の透明板３２との間をシリコンシール２３で止水する。こうして、機能部品ユニット１１の壁開口部６３への取り付けが完了するとともに、機能部品ユニット１１が、壁パネル６１に一体に取り付けられた機能部品付き壁パネル１２（図１参照）が完成する。
【００４２】
この後、機能部品付き壁パネル１２を浴室ユニット１の施工現場に搬送し、施工現場にて、機能部品付き壁パネル１２を左右のポスト５Ａ、５Ｂ間に近付け、各ポスト５Ａ，５Ｂの係止片により壁パネル６１の被係止部を係止させて、壁パネル６１を左右のポスト５間に取り付ける。こうして、機能部品付き壁パネル１２の浴室ユニット１への取り付けが完了する。
【００４３】
このような本発明の機能部品付き壁パネル１２は、壁パネル６１と機能部品ユニット１１とが一つのユニットとして予め組み立てられて構成されたものであるから、施工現場にて、機能部品付き壁パネル１２を柱、梁、ポスト等の支持材に固定する作業のみで、浴室壁面に映像表示部Ｔを支持させることができる。
【００４４】
さらに、機能部品付き壁パネル１２は、壁パネル６１と機能部品ユニット１１とが一つのユニットとして予め組み立てられて構成されたものであるから、当該機能部品付き壁パネル１２を壁パネル６１の任意の位置に取り付けることができる。即ち、壁パネル６１における壁開口部６３の形成位置を適宜な位置にすることができる。
【００４５】
上述した実施形態によれば、固定部６０は、壁開口部６３の周辺部が切り欠かれて、壁パネル６１（壁材）の浴室内部側の表面よりも該壁パネル６１の厚み方向の内部側に設けられていることで、壁パネル６１の表面から固定部６０までの壁パネル６１の厚み方向の寸法分だけ、機能部品ユニット１１の壁パネル６１の表面からの出張りを小さくすることができる。従って、機能部品ユニット１１の壁パネル６１からの出っ張りを抑制することができる。
【００４６】
なお、本発明は、前記実施形態に限定されるものではなく、本発明の目的が達成できる他の構成等を含み、以下に示すような変形等も本発明に含まれる。
【００４７】
前記実施形態では、固定部６０の見付け面１６１が、壁パネル６１において浴室内部側の表面から切り欠かれることで形成されていたが、これに限らず、固定部の見付け面が、壁パネル６１において浴室の外方側の裏面から切り欠かれることで形成されていてもよい。この構成によれば、例えば、浴室ユニット１において、建築壁と壁パネル６１との隙間が狭く、機能部品ユニット１１を取り付けることが困難であったとしても、機能部品ユニット１１の壁パネル６１の裏面からの出張りを小さくすることができるので、浴室壁に機能部品ユニット１１を取り付けることができる。この場合において、見付け面の形成位置は、壁パネル６１の厚み方向のうち、浴室内部側の表面よりも壁パネル６１の裏面に近い位置に設けられていてもよい。即ち、見付け面から壁パネル６１の裏面までの厚さ方向の寸法が、壁パネル６１の厚さ寸法の１／２以下となるように形成されていてもよい。この構成によれば、壁開口部６３の内周辺の厚み方向の寸法が十分に確保されていることとなり、筐体本体３１が壁開口部６３の内周辺に安定して載置され、壁パネル６１に機能部品ユニット１１を取り付ける際の作業性を良好にすることができる。
【００４８】
続いて、上述した実施形態の変形例について、図６〜図８を参照して説明する。図６〜図８は、機能部品の取付構造の変形例を示す縦断面図である。図６〜図８において、上述した実施形態と同一構成乃至同一機能を有する部分には、同一符号を付して説明を省略する。
【００４９】
前記実施形態では、延出片３４が固定部としての見付け面１６１に固定される構成であったが、これに限らず、図６（Ａ）に示すように、延出片３４が固定部としての見込み面１６２に固定される構成であってもよい。即ち、延出片３４が該延出片３４の外周縁から浴室側に突出する第２延出片３５を有し、この第２延出片３５が見込み面１６２に固定されていてもよい。
【００５０】
さらに、上述した実施形態の変形例について説明する。固定部としての固定部６０Ａは、図６（Ｂ）に示すように、ビス３９の先端部にナット（補強部材）が取り付けられている。ビス３９は、図６（Ｂ）に示すように、見付け面１６１から壁パネル６１の裏面まで壁パネル６１を貫通して、壁パネル６１の裏面にてナットが螺合されている。このような構成によれば、補強部材としてのナットが設けられていることで、固定部６０Ａの固定強度を確保することができる。
【００５１】
固定部としての固定部６０Ｂは、図６（Ｃ）に示すように、に示すように、壁パネル６１Ｂの見付け面１６１を被覆する金属板としての鋼板（補強部材）を有している。固定部６０Ｂは、鋼板が見付け面１６１と延出片３４との間に挟まれた状態でビス３９により螺合されることで構成されている。このような構成によれば、上述した作用と同様の作用の効果が奏される。
【００５２】
固定部としての固定部６０Ｃは、図７（Ａ）に示すように、壁パネル６１Ｃの見付け面１６１を被覆する金属板としての第１鋼板と、この第１鋼板に連続されて見込み面１６２を被覆する第２鋼板と、を有している。第１鋼板と第２鋼板とによって補強部材が構成されている。このような構成によれば、上述した作用と同様の作用に加えて、壁パネル６１に力が作用した際の壁開口部６３の周囲の変形を抑制することができる。さらに、このような固定部６０Ｃが設けられていることで、壁開口部６３を形成した壁パネル６１の剛性低下を防ぐことができる。ここで、機能部品やこれを支持する筐体等の重量物を支持するためには、壁パネル６１に相応な強度が求められることとなるが、補強部材として金属板が設けられていることにより、壁厚を大きくする等の壁材の改造を不要としてコストの抑制を図ることができる。
【００５３】
固定部としての固定部６０Ｄは、図７（Ｂ）に示すように、壁パネル６１Ｄの見付け面１６１を被覆する金属板としての第１鋼板と、この第１鋼板に連続されて見込み面１６２を被覆する第２鋼板と、壁開口部６３の内周辺６３Ａ、６３Ｂ、６３Ｃ、６３Ｄ、を被覆する第３鋼板と、を有している。第１鋼板、第２鋼板及び第３鋼板によって補強部材が構成されている。このような構成によれば、上述した作用と同様或いはそれ以上の十分な作用が奏される。さらに、補強部材として、第１、第２、第３鋼板に加えて、第３鋼板に連続されるとともに壁パネル６１Ｄの裏面を被覆する第４鋼板を有していてもよい。このような構成によれば、上述した作用と同様或いはそれ以上の十分な作用が奏される。
【００５４】
上述した固定部６０Ａ、６０Ｂ，６０Ｃ，６０Ｄは、壁パネル６１Ａ、６１Ｂ，６１Ｃ，６１Ｄと一体の補強部材を有する構成であったが、これに限らず、補強部材は壁パネル６１と別体構成であってもよい。
【００５５】
固定部としての固定部６０Ｅは、図７（Ｃ）に示すように、Ｌ字状の取付金具（補強部材）を有して構成されている。この取付金具は、壁開口部６３の適宜の位置に設けられているとともに内周辺６３及び壁開口部６３の周辺部に重ねられて、ビス３９により延出片３４とともに壁パネル６１Ｅに取り付けられるように構成されている。この構成によれば、取付金具（補強部材）が設けられていることで、固定部６０Ｅの固定強度を確保することができる。また、壁パネル６１Ｅに力が作用した際の壁開口部６３の周囲の変形を抑制することができる。
【００５６】
固定部としての固定部６０Ｆは、図８（Ａ）に示すように、壁パネル６１Ｆの裏面に重ねて設けられる金属製の当て材（補強部材）を有して構成されている。この当て材は、壁開口部６３の適宜の位置に設けられているとともに壁パネル６１Ｆの裏面に重ねられて、ビス３９により延出片３４とともに壁パネル６１Ｆに取り付けられるように構成されている。この構成によれば、当て材（補強部材）が設けられていることで、固定部の固定強度を確保することができる。
【００５７】
固定部としての固定部６０Ｇは、図８（Ｂ）に示すように、金属製の埋め込みナット（補強部材）を有して構成されている。このナットは、ビス３９が螺合される位置に、断熱材６Ｂ、即ち壁パネル６１Ｇに一体に埋め込まれている。この構成によれば、埋め込みナット（補強部材）が設けられていることで、固定部の固定強度を確保することができる。
【００５８】
また、前記実施形態では、機能部品が映像表示部Ｔである場合を例示したが、機能部品としては、映像表示部Ｔに限らず、映像表示機能を備えない表示装置であってもよいし、パーソナルコンピュータやゲーム機器、音響機器、冷暖房装置、照明装置、冷蔵庫、時計などの電気機器であってもよい。さらに、機能部品としては、電気機器に限らず、収納装置や鏡（通常の鏡やハーフミラー等）などの浴室付属部品であってもよいし、水槽、絵画、彫刻などの装飾品であってもよく、その品種や品目は特に限定されない。
【００５９】
また、前記実施形態では、映像表示部Ｔが筐体３０の筐体本体３１に収容された状態で浴室ユニット１に取り付けられる構成であったが、これに限らず、映像表示部Ｔが筐体３０により支持されて固定されていてもよい。即ち、筐体３０が筐体本体３１を有さずともよい。機能部品として、防水性能を必要としないもの、あるいは機能部品そのものが防水性能を有したものである場合には、筐体本体３１に収容されずに浴室内部に露出して設けられていてもよい。また、機能部品を筐体本体３１に収容する場合であっても、この筐体３０において防水性能は必須ではなく、排水性や清掃性を有した筐体など、使用上の問題が生じない範囲で適宜な筐体を採用することは任意である。
【００６０】
また、前記実施形態では、筐体３０の延出片３４が、壁パネル６１の固定部６０に重ねて固定される構成であったが、これに限らず、筐体本体３１が壁パネル６１の固定部６０に直接固定される構成であってもよい。筐体本体３１が壁開口部６３よりも一回り大きくなるように構成されて、その周辺部が固定部６０の見付け面１６１に固定される構成であってもよい。又は、筐体本体３１の周辺部が固定部６０の見込み面１６２に固定される構成であってもよく、筐体本体３１の周辺部が固定部６０の見付け面１６１及び見込み面１６２の両方の面に固定される構成であってもよい。その場合には、延出片は省略してもよい。
【００６１】
また、前記実施形態としては、浴室ユニット１の壁パネル６として、鋼板パネルを例示したが、壁パネルとしては、鋼板パネルに限らず、樹脂パネルやタイルパネル、木質パネル、ガラスパネル、異種材料が積層された複合パネル等であってもよい。このように壁パネルの種別よって厚さ寸法や取付構造も異なることになるが、そのような各種条件に応じて筐体３０の形状が変更されてもよく、このような形状や寸法を変更した構造も本発明に含まれる。
【００６２】
また、壁開口部としては、前記実施形態のように矩形状の開口に限らず、任意形状の開口であってもよい。この際、例えば、壁開口部が円形又は楕円形状の開口である場合、その内周辺のうち上部及び下部を形成する円弧状の辺（上辺及び下辺）の少なくとも一方に沿って延出片の上下の延出片が設けられていればよい。さらに、壁開口部が多角形の開口である場合、上下の延出片は、略水平に設けられるだけでなく、傾斜して設けられてもよいし、途中が屈曲して設けられてもよい。
【００６３】
また、前記実施形態としては、空間を構成する壁材として、浴室ユニット１を構成する壁パネル６、６１の一例を説明したが、これに限定されるものではない。壁パネルを構成する壁材としては、トイレ空間を構成するトイレユニットや、台所を構成するキッチンユニットの壁面を構成するものであってもよく、書斎、子供部屋、リビングルームの壁面を構成するものであってもよい。また、壁材として、集合住宅の玄関ホールやエレベータホール等のホールの壁面を構成するものであってもよい。
【００６４】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００６５】
１                浴室ユニット
６、６１          壁パネル
１０              機能部品の取付構造
１１              機能部品ユニット
１２              機能部品付き壁パネル
３０              筐体
６０              固定部
１６１            見付け面
６３              壁開口部
Ｔ                映像表示部（機能部品）
【図１】
0006482849.tif 000002
【図２】
0006482849.tif 000003
【図３】
0006482849.tif 000004
【図４】
0006482849.tif 000005
【図５】
0006482849.tif 000006
【図６】
0006482849.tif 000007
【図７】
0006482849.tif 000008
【図８】
0006482849.tif 000009